(57)【要約】【課題】表示切り替えに要する時間を短縮することができる電気泳動表示装置の駆動方法を提供する。【解決手段】本発明の電気泳動表示装置の駆動方法は、一対の基板間に電気泳動素子を挟持してなり、複数の画素を配列してなる表示部を備え、一方の前記基板の前記電気泳動素子側に前記画素に対応する画素電極が形成され、他方の前記基板の前記電気泳動素子側に複数の前記画素電極と対向する共通電極とが形成された電気泳動表示装置の駆動方法であって、前記表示部に画像を表示させる画像表示ステップが、前記画素電極に第１の電位を入力するとともに前記共通電極に前記第１の電位と異なる第２の電位を入力する表示駆動ステップと、前記表示駆動ステップとは逆極性の電圧を前記電気泳動素子に印加する逆電位駆動ステップと、を有することを特徴とする。【選択図】図１
2011099898.tif 000002
【特許請求の範囲】
【請求項１】
一対の基板間に電気泳動素子を挟持してなり、複数の画素を配列してなる表示部を備え、一方の前記基板の前記電気泳動素子側に前記画素に対応する画素電極が形成され、他方の前記基板の前記電気泳動素子側に複数の前記画素電極と対向する共通電極とが形成された電気泳動表示装置の駆動方法であって、
前記表示部に画像を表示させる画像表示ステップが、
前記画素電極に第１の電位を入力するとともに前記共通電極に前記第１の電位と異なる第２の電位を入力する表示駆動ステップと、
前記表示駆動ステップとは逆極性の電圧を前記電気泳動素子に印加する逆電位駆動ステップと、
を有することを特徴とする電気泳動表示装置の駆動方法。
【請求項２】
前記画像表示ステップにおいて、
前記表示駆動ステップと前記逆電位駆動ステップとを交互に複数回実行することを特徴とする請求項１に記載の電気泳動表示装置の駆動方法。
【請求項３】
前記画像表示ステップにおいて、
前記表示駆動ステップを複数回実行するごとに、前記逆電位駆動ステップを１回以上実行することを特徴とする請求項１に記載の電気泳動表示装置の駆動方法。
【請求項４】
前記逆電位駆動ステップにおいて前記画素電極に入力されるパルス状電圧のパルス幅が、前記表示駆動ステップにおいて前記画素電極に入力されるパルス状電圧のパルス幅よりも狭いことを特徴とする請求項１から３のいずれか１項に記載の電気泳動表示装置の駆動方法。
【請求項５】
前記逆電位駆動ステップにおいて前記画素電極に入力されるパルス状電圧のパルス幅が、１０ｍｓ以上２０ｍｓ以下であることを特徴とする請求項４に記載の電気泳動表示装置の駆動方法。
【請求項６】
前記画像表示ステップが、前記表示駆動ステップで終了することを特徴とする請求項１から５のいずれか１項に記載の電気泳動表示装置の駆動方法。
【請求項７】
前記画像表示ステップの後に、前記画素電極及び前記対向電極をハイインピーダンス状態とする画像保持ステップをさらに有し、
前記画像保持ステップは、前記画素電極及び前記対向電極の電位を、前記画像表示ステップに含まれる最後の前記表示駆動ステップの状態からハイインピーダンス状態に移行させることで開始されることを特徴とする請求項６に記載の電気泳動表示装置の駆動方法。
【請求項８】
前記画像表示ステップが、表示部のすべての画素を同一階調に移行させるステップであることを特徴とする請求項１から７のいずれか１項に記載の電気泳動表示装置の駆動方法。
【請求項９】
一対の基板間に電気泳動素子を挟持してなり、複数の画素を配列してなる表示部を備え、一方の前記基板の前記電気泳動素子側に前記画素に対応する画素電極が形成され、他方の前記基板の前記電気泳動素子側に複数の前記画素電極と対向する共通電極とが形成され、前記画素を駆動制御する制御部を有する電気泳動表示装置であって、
前記制御部は、
前記表示部に画像を表示させる画像表示動作において、
前記画素電極に第１の電位を入力するとともに前記共通電極に前記第１の電位と異なる第２の電位を入力する電位書込動作と、
前記電位書込動作とは逆極性の電圧を前記電気泳動素子に印加する逆電位駆動動作と、
を実行することを特徴とする電気泳動表示装置。
【請求項１０】
前記画像表示動作において、
前記電位書込動作と前記逆電位駆動動作とを交互に複数回実行することを特徴とする請求項９に記載の電気泳動表示装置。
【請求項１１】
前記画像表示動作において、
前記電位書込動作を複数回実行するごとに、前記逆電位駆動動作を１回以上実行することを特徴とする請求項９に記載の電気泳動表示装置。
【請求項１２】
前記逆電位駆動動作において前記画素電極に入力されるパルス状電圧のパルス幅が、前記電位書込動作において前記画素電極に入力されるパルス状電圧のパルス幅よりも狭いことを特徴とする請求項９から１１のいずれか１項に記載の電気泳動表示装置。
【請求項１３】
前記逆電位駆動動作において前記画素電極に入力されるパルス状電圧のパルス幅が、１０ｍｓ以上２０ｍｓ以下であることを特徴とする請求項１２に記載の電気泳動表示装置。
【請求項１４】
前記画像表示動作が、前記電位書込動作で終了することを特徴とする請求項９から１３のいずれか１項に記載の電気泳動表示装置。
【請求項１５】
前記画像表示動作の後に、前記画素電極及び前記対向電極をハイインピーダンス状態とする画像保持動作をさらに実行し、
前記画像保持動作は、前記画素電極及び前記対向電極の電位を、前記画像表示動作に含まれる最後の前記表示駆動動作の状態からハイインピーダンス状態に移行させることで開始されることを特徴とする請求項１４に記載の電気泳動表示装置の駆動方法。
【請求項１６】
前記画像表示動作が、表示部のすべての画素を同一階調に移行させる動作であることを特徴とする請求項９から１５のいずれか１項に記載の電気泳動表示装置。
【請求項１７】
請求項９から１６のいずれか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関するものである。
【背景技術】
【０００２】
電気泳動表示装置において、表示切り替えに要する時間の短縮を目的として、第１電極と第２電極との間に挟持された電気泳動素子に、直流のパルス状電圧を断続的に複数回印加することで表示を行う駆動方法が提案されている（特許文献１参照）。
【先行技術文献】
【特許文献】
【０００３】
【特許文献１】特開２００８−７０５４６号公報
【発明の概要】
【発明が解決しようとする課題】
【０００４】
しかし、特許文献１記載の駆動方法では、断続的にパルス状電圧を印加する際のインターバル時間を、パルス状電圧のパルス幅よりも大きくとっていた。つまり、表示切り替えに際して、電気泳動素子に対して電圧を印加している期間よりも、電圧が印加されていない期間の方を長く設定する駆動方法であった。そのため、表示切り替えの時間を短縮するための根本的な解決策ではなかった。
【０００５】
本発明は、上記従来技術の問題点に鑑み成されたものであって、表示切り替えに要する時間を短縮することができる電気泳動表示装置の駆動方法と、及び電気泳動表示装置を提供することを目的の一つとする。
【課題を解決するための手段】
【０００６】
本発明の電気泳動表示装置の駆動方法は、一対の基板間に電気泳動素子を挟持してなり、複数の画素を配列してなる表示部を備え、一方の前記基板の前記電気泳動素子側に前記画素に対応する画素電極が形成され、他方の前記基板の前記電気泳動素子側に複数の前記画素電極と対向する共通電極とが形成された電気泳動表示装置の駆動方法であって、前記表示部に画像を表示させる画像表示ステップが、前記画素電極に第１の電位を入力するとともに前記共通電極に前記第１の電位と異なる第２の電位を入力する表示駆動ステップと、前記表示駆動ステップとは逆極性の電圧を前記電気泳動素子に印加する逆電位駆動ステップと、を有することを特徴とする電気泳動表示装置の駆動方法。
【０００７】
この駆動方法によれば、逆電位駆動ステップを設けることで電気泳動素子に含まれる電気泳動粒子を適宜攪拌しつつ駆動することができるため、応答速度を向上させることができる。これにより、表示切り替えに要する時間を短縮することができる。
また、逆電位駆動ステップによって電気泳動粒子が一時的に逆方向に移動する期間が設けられることで、表示色以外の色の電気泳動粒子が表示色の電気泳動粒子に取り囲まれて移動できなくなり、コントラストを低下させてしまうのを防止できる。よって本発明によれば、コントラストを向上させる効果も得ることができる。
【０００８】
前記画像表示ステップにおいて、前記表示駆動ステップと前記逆電位駆動ステップとを交互に複数回実行することが好ましい。これにより、電気泳動粒子の攪拌性を高め、優れた応答性を得ることができる。
【０００９】
前記画像表示ステップにおいて、前記表示駆動ステップを複数回実行するごとに、前記逆電位駆動ステップを１回以上実行することも好ましい。画素電極に対して複数のパルスを連続的に入力することができない場合には、ステップ単位で表示駆動ステップと逆電位駆動ステップとの比率を設定してもよい。このような駆動方法は、例えばＤＲＡＭ方式の電気泳動表示装置に好適である。
【００１０】
前記逆電位駆動ステップにおいて前記画素電極に入力されるパルス状電圧のパルス幅が、前記表示駆動ステップにおいて前記画素電極に入力されるパルス状電圧のパルス幅よりも狭いことが好ましい。
逆電位駆動ステップでは、画素に対して本来の表示動作とは異なる動作を行わせるものであるため、所望の表示を得るには、このように表示駆動ステップにおけるパルス幅よりも短くする必要がある。
【００１１】
前記逆電位駆動ステップにおいて前記画素電極に入力されるパルス状電圧のパルス幅が、１０ｍｓ以上２０ｍｓ以下であることが好ましい。
このような駆動方法とすることで、逆電位駆動ステップの動作による表示色の変化やちらつきがユーザーに視認されてしまうのを防止できる。
【００１２】
前記画像表示ステップが、前記表示駆動ステップで終了することが好ましい。
このような駆動方法とすることで、所望の階調の表示を確実に得ることができるとともに、逆電位駆動ステップ１回分の期間を短縮でき、画像表示に要する時間と電力とを削減できる。
【００１３】
前記画像表示ステップの後に、前記画素電極及び前記対向電極をハイインピーダンス状態とする画像保持ステップをさらに有し、前記画像保持ステップは、前記画素電極及び前記対向電極の電位を、前記画像表示ステップに含まれる最後の前記表示駆動ステップの状態からハイインピーダンス状態に移行させることで開始されることも好ましい。
この駆動方法によれば、画像保持ステップにおいて、画素電極の電位と共通電極の電位とが一致（収束）するまでの間、電気泳動粒子にある程度電界をかけることができ、表示を補強することができる。例えば、白表示を行う場合には輝度をより高くすることができ、黒表示を行う場合には輝度をより低下させることができる。
【００１４】
前記画像表示ステップが、表示部のすべての画素を同一階調に移行させるステップであることも好ましい。
すなわち、本発明の駆動方法を、画像消去動作に適用してもよい。
【００１５】
次に、本発明の電気泳動表示装置は、一対の基板間に電気泳動素子を挟持してなり、複数の画素を配列してなる表示部を備え、一方の前記基板の前記電気泳動素子側に前記画素に対応する画素電極が形成され、他方の前記基板の前記電気泳動素子側に複数の前記画素電極と対向する共通電極とが形成され、前記画素を駆動制御する制御部を有する電気泳動表示装置であって、前記制御部は、前記表示部に画像を表示させる画像表示動作において、前記画素電極に第１の電位を入力するとともに前記共通電極に前記第１の電位と異なる第２の電位を入力する電位書込動作と、前記電位書込動作とは逆極性の電圧を前記電気泳動素子に印加する逆電位駆動動作と、を実行することを特徴とする。
【００１６】
この構成によれば、逆電位駆動動作が設けられていることで、電気泳動素子に含まれる電気泳動粒子を適宜攪拌しつつ駆動することができるため、応答速度を向上させることができる。これにより、表示切り替えに要する時間を短縮することができる。
また、逆電位駆動動作によって電気泳動粒子が一時的に逆方向に移動する期間が設けられることで、表示色以外の色の電気泳動粒子が表示色の電気泳動粒子に取り囲まれて移動できなくなり、コントラストを低下させてしまうのを防止できる。よって本発明によれば、コントラストを向上させる効果も得ることができる。
【００１７】
前記画像表示動作において、前記電位書込動作と前記逆電位駆動動作とを交互に複数回実行することが好ましい。これにより、電気泳動粒子の攪拌性を高め、優れた応答性を得ることができる。
【００１８】
前記画像表示動作において、前記電位書込動作を複数回実行するごとに、前記逆電位駆動動作を１回以上実行することも好ましい。画素電極に対して複数のパルスを連続的に入力することができない場合には、このように、表示駆動動作と逆電位駆動動作のそれぞれの回数で比率を設定してもよい。
【００１９】
前記逆電位駆動動作において前記画素電極に入力されるパルス状電圧のパルス幅が、前記電位書込動作において前記画素電極に入力されるパルス状電圧のパルス幅よりも狭いことが好ましい。これにより、所望の階調の表示を確実に得ることができる。
【００２０】
前記逆電位駆動動作において前記画素電極に入力されるパルス状電圧のパルス幅が、１０ｍｓ以上２０ｍｓ以下であることが好ましい。これにより、逆電位駆動動作による表示色の変化やちらつきがユーザーに視認されてしまうのを防止することができる。
【００２１】
前記画像表示動作が、前記電位書込動作で終了することが好ましい。これにより、所望の階調の表示を確実に得ることができるとともに、逆電位駆動動作１回分の期間を短縮することができる。
【００２２】
前記画像表示動作の後に、前記画素電極及び前記対向電極をハイインピーダンス状態とする画像保持動作をさらに実行し、前記画像保持動作は、前記画素電極及び前記対向電極の電位を、前記画像表示動作に含まれる最後の前記表示駆動動作の状態からハイインピーダンス状態に移行させることで開始されることも好ましい。
これにより、画像保持動作において、画素電極の電位と共通電極の電位とが一致（収束）するまでの間、電気泳動粒子にある程度電界をかけることができ、表示を補強することができる。例えば、白表示を行う場合には輝度をより高くすることができ、黒表示を行う場合には輝度をより低下させることができる。
【００２３】
前記画像表示動作が、表示部のすべての画素を同一階調に移行させる動作であることも好ましい。すなわち、画像消去動作時に表示駆動動作と逆電位駆動動作とが実行されるものとしてもよい。
【００２４】
本発明の電子機器は、先に記載の電気泳動表示装置を備えたことを特徴とする。
この構成によれば、短時間で表示切り替えを行うことができる表示手段を具備した電子機器を提供することができる。
【図面の簡単な説明】
【００２５】
【図１】実施形態に係る電気泳動表示装置の概略構成図。
【図２】画素回路を示す図。
【図３】電気泳動表示装置の部分断面図及びマイクロカプセルの断面図。
【図４】電気泳動表示装置の動作説明図。
【図５】実施形態に係る駆動方法を示すフローチャート。
【図６】図５に対応するタイミングチャート。
【図７】実施形態の駆動方法で用いる画像データと表示部の遷移を示す説明図。
【図８】実施形態の駆動方法と従来の駆動方法との反射率の時間変化を示す図。
【図９】変形例に係る電気泳動表示装置を示す図。
【図１０】変形例に係る駆動方法におけるタイミングチャート。
【図１１】電子機器の一例である腕時計の正面図。
【図１２】電子機器の一例である電子ペーパーの斜視図。
【図１３】電子機器の一例である電子ノートの斜視図。
【発明を実施するための形態】
【００２６】
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２７】
図１は、本発明の一実施の形態である電気泳動表示装置１００の概略構成図である。
電気泳動表示装置１００は、複数の画素４０がマトリクス状に配列された表示部５を備えている。表示部５の周辺には、走査線駆動回路６１、データ線駆動回路６２、コントローラー（制御部）６３、及び共通電源変調回路６４が配置されている。走査線駆動回路６１、データ線駆動回路６２、及び共通電源変調回路６４は、それぞれコントローラー６３と接続されている。コントローラー６３は、上位装置から供給される画像データや同期信号に基づき、これらを総合的に制御する。
【００２８】
表示部５には走査線駆動回路６１から延びる複数の走査線６６と、データ線駆動回路６２から延びる複数のデータ線６８とが形成されており、これらの交差位置に対応して画素４０が設けられている。
走査線駆動回路６１は、ｍ本の走査線６６（Ｙ１、Ｙ２、…、Ｙｍ）を介して各々の画素４０に接続されており、コントローラー６３の制御のもと、１行目からｍ行目までの走査線６６を順次選択し、画素４０に設けられた選択トランジスタ４１（図２参照）のオンタイミングを規定する選択信号を、選択した走査線６６を介して供給する。
データ線駆動回路６２は、ｎ本のデータ線６８（Ｘ１、Ｘ２、…、Ｘｎ）を介して各々の画素４０に接続されており、コントローラー６３の制御のもと、画素４０の各々に対応する１ビットの画素データを規定する画像信号を画素４０に供給する。
なお、本実施形態では、画素データ「０」を規定する場合にはローレベル（Ｌ）の画像信号を画素４０に供給し、画素データ「１」を規定する場合はハイレベル（Ｈ）の画像信号を画素４０に供給するものとする。
【００２９】
表示部５にはまた、共通電源変調回路６４から延びる低電位電源線４９、高電位電源線５０、及び共通電極配線５５が設けられており、それぞれの配線は画素４０と接続されている。共通電源変調回路６４は、コントローラー６３の制御のもと、上記の配線の各々に供給すべき各種信号を生成する一方、これら各配線の電気的な接続及び切断（ハイインピーダンス（Ｈｉ−Ｚ）化）を行う。
【００３０】
図２は、画素４０の回路構成図である。
画素４０には、選択トランジスタ４１（画素スイッチング素子）と、ラッチ回路（メモリ回路）７０と、スイッチ回路８０と、電気泳動素子３２と、画素電極３５と、共通電極３７とが設けられている。画素４０には、走査線６６と、データ線６８と、低電位電源線４９と、高電位電源線５０と、第１の制御線９１と、第２の制御線９２と、が接続されている。画素４０は、ラッチ回路７０により画像信号を電位として保持するＳＲＡＭ（Static Random Access Memory）方式の構成である。
【００３１】
選択トランジスタ４１は、Ｎ−ＭＯＳトランジスタ（Negative Metal Oxide Semiconductor Transistor）からなる画素スイッチング素子である。選択トランジスタ４１のゲートは走査線６６に接続され、ソースはデータ線６８に接続され、ドレインはラッチ回路７０のデータ入力端子Ｎ１に接続されている。
【００３２】
ラッチ回路７０は、転送インバータ７０ｔと帰還インバータ７０ｆとを備えている。転送インバータ７０ｔ及び帰還インバータ７０ｆはいずれもＣ−ＭＯＳインバータである。転送インバータ７０ｔと帰還インバータ７０ｆとは、互いの入力端子に他方の出力端子が接続されたループ構造を成しており、それぞれのインバータには、高電位電源端子ＰＨを介して接続された高電位電源線５０と、低電位電源端子ＰＬを介して接続された低電位電源線４９とから電源電圧が供給される。
【００３３】
転送インバータ７０ｔは、それぞれのドレインをデータ出力端子Ｎ２に接続されたＰ−ＭＯＳトランジスタ（Positive Metal Oxide Semiconductor Transistor）トランジスタ７１とＮ−ＭＯＳトランジスタ７２とを有している。Ｐ−ＭＯＳトランジスタ７１のソースは高電位電源端子ＰＨに接続され、Ｎ−ＭＯＳトランジスタ７２のソースは低電位電源端子ＰＬに接続されている。Ｐ−ＭＯＳトランジスタ７１及びＮ−ＭＯＳトランジスタ７２のゲート（転送インバータ７０ｔの入力端子）は、データ入力端子Ｎ１（帰還インバータ７０ｆの出力端子）と接続されている。
【００３４】
帰還インバータ７０ｆは、それぞれのドレインをデータ入力端子Ｎ１に接続されたＰ−ＭＯＳトランジスタ７３とＮ−ＭＯＳトランジスタ７４とを有している。Ｐ−ＭＯＳトランジスタ７３及びＮ−ＭＯＳトランジスタ７４のゲート（帰還インバータ７０ｆの入力端子）は、データ出力端子Ｎ２（転送インバータ７０ｔの出力端子）と接続されている。
【００３５】
スイッチ回路８０は、第１のトランスミッションゲートＴＧ１と、第２のトランスミッションゲートＴＧ２とを備えて構成されている。
第１のトランスミッションゲートＴＧ１は、Ｐ−ＭＯＳトランジスタ８１とＮ−ＭＯＳトランジスタ８２とからなる。Ｐ−ＭＯＳトランジスタ８１及びＮ−ＭＯＳトランジスタ８２のソースは第１の制御線９１に接続され、Ｐ−ＭＯＳトランジスタ８１及びＮ−ＭＯＳトランジスタ８２のドレインは画素電極３５に接続されている。また、Ｐ−ＭＯＳトランジスタ８１のゲートは、ラッチ回路７０のデータ入力端子Ｎ１に接続され、Ｎ−ＭＯＳトランジスタ８２のゲートは、ラッチ回路７０のデータ出力端子Ｎ２に接続されている。
【００３６】
第２のトランスミッションゲートＴＧ２は、Ｐ−ＭＯＳトランジスタ８３とＮ−ＭＯＳトランジスタ８４とからなる。Ｐ−ＭＯＳトランジスタ８３及びＮ−ＭＯＳトランジスタ８４のソースは第２の制御線９２に接続され、Ｐ−ＭＯＳトランジスタ８３及びＮ−ＭＯＳトランジスタ８４のドレインは、画素電極３５に接続されている。また、Ｐ−ＭＯＳトランジスタ８３のゲートは、ラッチ回路７０のデータ出力端子Ｎ２に接続され、Ｎ−ＭＯＳトランジスタ８４のゲートは、ラッチ回路７０のデータ入力端子Ｎ１に接続されている。また、画素電極３５と共通電極３７との間に電気泳動素子３２が挟持されている。
【００３７】
以上の構成を備えた画素４０において、ラッチ回路７０にローレベル（Ｌ）の画像信号（画素データ「０」）が記憶され、データ出力端子Ｎ２からハイレベル（Ｈ）の信号が出力された場合、第１のトランスミッションゲートＴＧ１がオン状態となり、第１の制御線９１を介して供給される電位Ｓ１が画素電極３５に入力される。
一方、ラッチ回路７０にハイレベル（Ｈ）の画像信号（画素データ「１」）が記憶され、データ出力端子Ｎ２からローレベル（Ｌ）の信号が出力された場合、第２のトランスミッションゲートＴＧ２がオン状態となり、第２の制御線９２を介して供給される電位Ｓ２が画素電極３５に入力される。
そして、画素電極３５に入力された電位Ｓ１、Ｓ２と、共通電極配線５５（図１）を介して共通電極３７に入力された電位Ｖcomとの電位差に基づいて電気泳動素子３２が駆動されることで、画素４０が入力された画像信号に応じた階調で表示される。
【００３８】
次に、図３（ａ）は、表示部５における電気泳動表示装置１００の部分断面図である。電気泳動表示装置１００は、素子基板（第１基板）３０と対向基板（第２基板）３１との間に、複数のマイクロカプセル２０を配列してなる電気泳動素子３２を挟持した構成を備えている。
【００３９】
表示部５において、素子基板３０の電気泳動素子３２側には、図１や図２に示した走査線６６、データ線６８、選択トランジスタ４１、ラッチ回路７０などが形成された回路層３４が設けられており、回路層３４上に複数の画素電極３５が配列形成されている。
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動素子３２に電圧を印加する電極である。
【００４０】
一方、対向基板３１の電気泳動素子３２側には複数の画素電極３５と対向する平面形状の共通電極３７が形成されており、共通電極３７上に電気泳動素子３２が設けられている。
対向基板３１はガラスやプラスチック等からなる基板であり、画像表示側に配置されるため透明基板とされる。共通電極３７は、画素電極３５とともに電気泳動素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動素子３２と画素電極３５とが、接着剤層３３を介して接着されることで、素子基板３０と対向基板３１とが接合されている。
【００４１】
なお、電気泳動素子３２は、あらかじめ対向基板３１側に形成され、接着剤層３３までを含めた電気泳動シートとして取り扱われるのが一般的である。製造工程において、電気泳動シートは接着剤層３３の表面に保護用の離型シートが貼り付けられた状態で取り扱われる。そして、別途製造された素子基板３０（画素電極３５や各種回路などが形成されている）に対して、離型シートを剥がした当該電気泳動シートを貼り付けることによって、表示部５を形成する。このため、接着剤層３３は画素電極３５側のみに存在することになる。
【００４２】
図３（ｂ）は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３（ａ）に示すように共通電極３７と画素電極３５とに挟持され、１つの画素４０内に１つ又は複数のマイクロカプセル２０が配置される。
【００４３】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４４】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００４５】
図４は、電気泳動素子の動作説明図である。図４（ａ）は、画素４０を白表示する場合、図４（ｂ）は、画素４０を黒表示する場合をそれぞれ示している。
図４（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図４（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００４６】
［駆動方法］
次に、図５から図８を参照して本実施形態の電気泳動表示装置の駆動方法について説明する。
図５は、電気泳動表示装置１００の駆動方法を示すフローチャートである。
図６（ａ）は、図５のフローチャートに対応するタイミングチャートである。図６（ａ）には、共通電極３７の電位Ｖcom、画素４０Ａの画素電極３５の電位Ｖａ、画素４０Ｂの画素電極３５の電位Ｖｂが示されている。なお、図６（ｂ）及び図６（ｃ）は、比較のために従来の駆動方法におけるタイミングチャートを示したものである。
図７（ａ）及び図７（ｂ）は、本実施形態の駆動方法で用いる画像データと、表示部５の遷移状態を示す説明図である。
【００４７】
以下では、図７（ａ）及び図７（ｂ）に示す画素４０Ａを黒表示、画素４０Ｂを白表示させ、全面黒表示の表示部５に白抜きの時刻表示を行う場合について説明する。
なお、図７において、各符号の「Ａ」「Ｂ」の添字は、説明の対象とした２つの画素４０（４０Ａ、４０Ｂ）を明確に区別するために付したものであって他意はない。また本実施形態では、各配線に供給する電位を具体的数値例を用いて説明するが、各配線の電位はこれらに限定されるものではない。
【００４８】
図５に示すように、本実施形態に係る駆動方法は、画像信号入力ステップＳ１０１と、画像表示ステップＳ１０２と、画像保持ステップＳ１０３と、を含む。
【００４９】
まず、画像信号入力ステップＳ１０１以前の表示部５では、各回路は電源オフ状態である。そして、画像信号入力ステップＳ１０１に移行すると、走査線駆動回路６１やデータ線駆動回路６２、共通電源変調回路６４に電力が供給され、各回路に接続された配線が電位供給可能な状態となる。また、画素４０のラッチ回路７０にも高電位電源線５０及び低電位電源線４９を介して電力が供給され、画像信号を記憶可能な状態となる。
【００５０】
なお、実際の画像表示動作では、画像信号入力ステップＳ１０１に先立って、又は画像信号入力ステップＳ１０１と画像表示ステップＳ１０２との間に、表示部５の全体を同一階調に移行させて画像を消去する画像消去ステップが実行される。図７（ｂ）のステップＳ１０１における表示部５は、画像消去ステップの実行により全面黒表示された状態を示している。
【００５１】
各回路の電源をオンした後、各々の画素４０のラッチ回路７０に画像信号が入力される。すなわち、走査線６６に選択信号であるハイレベル（Ｈ；例えば７Ｖ）のパルスが入力され、かかる走査線６６に接続された選択トランジスタ４１がオン状態とされてデータ線６８とラッチ回路７０とが接続される。これにより、ラッチ回路７０に画像信号が入力される。本実施形態の場合、図７（ａ）に示す画像データＤ１に対応する画像信号が入力される。
【００５２】
図７（ｂ）に示す画素４０Ａ（黒背景を構成する画素４０）では、選択トランジスタ４１を介してデータ線６８からラッチ回路７０にローレベル（Ｌ；例えば０Ｖ）の画像信号が入力される。これにより、ラッチ回路７０のデータ出力端子Ｎ２の電位が画像信号入力用のハイレベル電位（例えば５Ｖ）となる。その結果、画素４０Ａでは、第１のトランスミッションゲートＴＧ１がオン状態となり、第１の制御線９１と画素電極３５とが電気的に接続される。
【００５３】
一方、画素４０Ｂでは、選択トランジスタ４１を介してデータ線６８からラッチ回路７０にハイレベル（Ｈ；例えば５Ｖ）の画像信号が入力される。これにより、ラッチ回路７０のデータ出力端子Ｎ２の電位がローレベル電位（例えば０Ｖ）となる。その結果、画素４０Ｂでは、第２のトランスミッションゲートＴＧ２がオン状態となり、第２の制御線９２と画素電極３５とが電気的に接続される。
なお、画像信号入力ステップＳ１０１では第１の制御線９１と第２の制御線９２はハイインピーダンス状態に保持されている。そのため、表示部５の表示状態は変化せず、図７（ｂ）に示す全面黒表示のままである。
【００５４】
画素４０Ａ、４０Ｂにそれぞれ画像信号が入力されたならば、画像表示ステップＳ１０２に移行する。
画像表示ステップＳ１０２では、まず、高電位電源線５０の電位Ｖｄｄが、画像信号入力用のハイレベル電位から画像表示用のハイレベル電位ＶＨ（例えば１５Ｖ）に引き上げられる。低電位電源線４９の電位Ｖｓｓは画像表示用のローレベル電位ＶＬ（例えば０Ｖ）とされる。
【００５５】
そして、画像表示ステップＳ１０２では、図６（ａ）に示すように、共通電極３７（電位Ｖcom）に図６に示す形状の矩形パルスが入力される。第１の制御線９１（電位Ｓ１）には、共通電極３７と同期した同一形状の矩形パルスが入力される。第２の制御線９２には、共通電極３７及び第１の制御線９１とは１８０°位相がずれた矩形パルスが入力される。
上記の電位入力により、画素４０Ａでは、第１のトランスミッションゲートＴＧ１を介して画素電極３５に第１の制御線９１から図６に示す矩形パルスが入力される。一方、画素４０Ｂでは、第２のトランスミッションゲートＴＧ２を介して画素電極３５に第２の制御線９２から図６に示す矩形パルスが入力される。
【００５６】
本実施形態の画像表示ステップＳ１０２では、表示部５の画素４０のうち、白表示させる画素４０Ｂについて、画素４０Ｂを白表示させる動作（表示駆動ステップＳＴ１）と、黒表示させる動作（逆電位駆動ステップＳＴ２）とが交互に複数回実行される。図６に示した例では、表示駆動ステップＳＴ１が４回、逆電位駆動ステップＳＴ２が３回実行される。
【００５７】
表示駆動ステップＳＴ１では、共通電極３７（Ｖcom）にハイレベル電位ＶＨが入力され、画素４０Ｂの画素電極３５（Ｖｂ）にローレベル電位ＶＬが入力される。かかるステップでは、白表示に対応する画像データ「１」を入力された画素４０Ｂにおいて、その画素電極３５がローレベル電位ＶＬとなり、ハイレベル電位ＶＨである共通電極３７との電位差により電気泳動素子３２が駆動される。これにより、画素４０Ｂが白表示動作する（図４（ａ）参照）。
なお、表示駆動ステップＳＴ１において、画素４０Ａの画素電極３５（Ｖａ）にはハイレベル電位ＶＨが入力される。そのため、黒表示に対応する画素データ「０」を入力された画素４０Ａでは、画素電極３５と共通電極３７とが同電位となり、表示は変化しない。
【００５８】
逆電位駆動ステップＳＴ２では、共通電極３７にローレベル電位ＶＬが入力され、画素４０Ｂの画素電極３５（Ｖｂ）にハイレベル電位ＶＨが入力される。かかるステップでは、図６に示すように、各電極の電位が、表示駆動ステップＳＴ１に対して反転する。そのため、画素４０Ｂの画素電極３５がハイレベル電位ＶＨ、共通電極３７がローレベル電位ＶＬとなって画素４０Ｂが黒表示動作する（図４（ｂ）参照）。
なお、画素４０Ａの画素電極３５（Ｖａ）にローレベル電位ＶＬが入力され、共通電極３７と同電位となるため表示は変化しない。
【００５９】
上記の表示駆動ステップＳＴ１と逆電位駆動ステップＳＴ２とを交互に複数回繰り返すことで、図７（ｂ）の「Ｓ１０２」に示すように、表示部５の画素４０のうち、時刻表示部分に対応する画素４０Ｂが白表示となる。
ここで、本実施形態の画像表示ステップＳ１０２において、表示切り替えが行われる画素４０Ｂは、表示駆動ステップＳＴ１で白表示動作し、逆電位駆動ステップＳＴ２では黒表示動作する。しかし、図６に示すように、逆電位駆動ステップＳＴ２は表示駆動ステップＳＴ１に対して極端に短く設定され、例えば１０ｍｓ以上２０ｍｓ以下の期間とされる。そして、逆電位駆動ステップＳＴ２の直後には表示駆動ステップＳＴ１が実行されて画素が白表示動作するため、白表示されるべき画素４０Ｂが黒表示やグレー表示になったり、ユーザーにちらつきが視認されたりすることはない。
【００６０】
以上の画像表示ステップＳ１０２が終了したならば、画像保持ステップＳ１０３に移行する。
画像保持ステップＳ１０３では、図６に示すように、共通電極３７、画素４０Ａの画素電極３５（第１の制御線９１）、及び、画素４０Ｂの画素電極３５（第２の制御線９２）が、いずれもハイインピーダンス状態とされる。これにより、電力を消費することなく表示部５の画像が保持される。
【００６１】
画像保持ステップＳ１０３は、画素電極３５及び対向電極３７の電位を、画像表示ステップＳ１０３に含まれる最後の表示駆動ステップＳＴ１の状態からハイインピーダンス状態に移行させることで開始されることが好ましい。これにより、画像保持ステップＳ１０３において、画素電極３５の電位と共通電極３７の電位とが一致（収束）するまでの間、電気泳動粒子にある程度電界をかけることができ、表示を補強することができる。すなわち、白表示を行う場合には輝度（反射率）をより高くすることができ、黒表示を行う場合には輝度（反射率）をより低下させることができる。
【００６２】
なお、上記では、黒背景に白抜きの時刻表示を行う場合について説明したが、本実施形態の駆動方法は、図７（ｃ）（ｄ）に示すように、白背景に黒抜きの時刻表示を行う場合にも問題なく適用できる。この場合のタイミングチャートを、図６（ａ）の「黒書き込み時」と付した部分に示している。
【００６３】
白背景に黒抜きの時刻表示を行う場合には、例えば、図７（ｃ）に示す画像データＤ２が用いられる。画像データＤ２において、黒色部分は画素データ「０」に対応し、白色部分は画素データ「１」に対応する。したがって、画像信号入力ステップＳ１０１において表示部５の画素４０に画像信号が入力されると、図７（ｄ）に示す画素４０Ａ（白背景部分）では、第２のトランスミッションゲートＴＧ２がオン状態となって第２の制御線９２と画素電極３５とが電気的に接続される。一方、画素４０Ｂ（黒抜きの時刻表示部分）では、第１のトランスミッションゲートＴＧ１がオン状態となって第１の制御線９１と画素電極３５とが電気的に接続される。
【００６４】
そして、画像表示ステップＳ１０２では、図６（ａ）の右側に示す矩形パルスが、共通電極３７、第１の制御線９１、及び第２の制御線９２に入力される。
具体的には、表示駆動ステップＳＴ１において、共通電極３７はローレベル電位ＶＬ、画素４０Ａの画素電極３５はローレベル電位ＶＬ、画素４０Ｂの画素電極３５はハイレベル電位ＶＨとされる。これにより、画素４０Ｂが黒表示動作し、その一方で、画素４０Ａの表示は変化しない。
また、逆電位駆動ステップＳＴ２では、共通電極３７はハイレベル電位ＶＨ、画素４０Ａの画素電極３５はハイレベル電位ＶＨ、画素４０Ｂの画素電極３５はローレベル電位ＶＬとされる。これにより、画素４０Ｂが白表示動作し、その一方で画素４０Ａの表示は変化しない。
【００６５】
つまり、図７（ｃ）（ｄ）に示す場合にも、表示切り替えが行われる画素４０Ｂは、間欠的に白表示動作を行いつつ画像データに対応した黒表示動作を行う。背景部分となる画素４０Ａは画素電極３５が常に共通電極３７と同電位に保持されるため、画像表示ステップＳ１０２では表示は変化しない。
【００６６】
以上、詳細に説明したように、本実施形態の電気泳動表示装置１００の駆動方法では、画像表示ステップＳ１０２において、表示切り替えを行う画素４０Ｂを所定の階調に移行させる動作（表示駆動ステップＳＴ１）の間に、画素４０Ｂを逆の階調に移行させる動作（逆電位駆動ステップＳＴ２）を行っている。
このような駆動方法とすることで、従来の駆動方法に比して短時間で所望の階調を得ることができる。以下、本発明のかかる作用効果について、図６（ａ）〜（ｃ）、及び図８を用いて、従来の駆動方法と比較しながら詳細に説明する。
【００６７】
図６（ｂ）及び図６（ｃ）には、従来の駆動方法を用いて、図７（ｂ）に示した黒背景に白抜きの時刻表示を行う場合のタイミングチャートが示されている。
まず、図６（ｂ）に示す第１例の従来の駆動方法では、画像表示ステップＳ５０２と画像保持ステップＳ５０３とが順次実行される。画像表示ステップＳ５０２は上記実施形態における画像表示ステップＳ１０２に対応し、画像保持ステップＳ５０３は上記実施形態における画像保持ステップＳ１０３に対応する。なお、画像表示ステップＳ５０２に先立って画像信号入力ステップが実行される点は上記実施形態と同様である。
【００６８】
従来の駆動方法の第１例では、画像表示ステップＳ５０２において、第１ステップＳＴ５１と第２ステップＳＴ５２とが交互に複数回（４回ずつ）実行される。
第１ステップＳＴ５１では、共通電極３７及び画素４０Ａの画素電極３５にハイレベル電位ＶＨが入力され、画素４０Ｂの画素電極３５にローレベル電位ＶＬが入力される。これにより、画素４０Ｂが白表示動作する一方、画素４０Ａの表示は変化しない。
第２ステップＳＴ５２では、共通電極３７と、画素４０Ａの画素電極３５と、画素４０Ｂの画素電極３５にいずれもハイレベル電位ＶＨが入力され、同電位に保持される。したがって、画素４０Ａ及び画素４０Ｂの表示はいずれも変化しない。
すなわち、図６（ｂ）に示す従来の駆動方法の第１例では、第１ステップＳＴ５１において画像データに基づく白抜きの時刻表示を行う一方、第２ステップＳＴ５２では表示部５の表示は変化させないようにして画像表示動作が行われる。
【００６９】
次に、図６（ｃ）に示す従来の駆動方法の第２例では、画像表示ステップＳ６０２と画像保持ステップＳ６０３とが順次実行される。画像表示ステップＳ６０２は上記実施形態における画像表示ステップＳ１０２に対応し、画像保持ステップＳ６０３は上記実施形態における画像保持ステップＳ１０３に対応する。なお、画像表示ステップＳ６０２に先立って画像信号入力ステップが実行される点は上記実施形態と同様である。
【００７０】
従来の駆動方法の第２例では、画像表示ステップＳ６０２において、共通電極３７及び画素４０Ａの画素電極３５にハイレベル電位ＶＨが入力され、画素４０Ｂの画素電極３５にローレベル電位ＶＬが入力される。これにより、画素４０Ｂが白表示動作する一方、画素４０Ａの表示は変化しない。
図６（ｃ）に示す従来の駆動方法の第２例では、第１例における第２ステップＳＴ５２が設けられておらず、単一の矩形パルスの入力によって白抜きの時刻表示を行っている。
【００７１】
図８には、図６（ａ）に示した本実施形態の駆動方法と、図６（ｂ）及び図６（ｃ）に示した従来の駆動方法とによりそれぞれ白表示、黒表示を行った場合の反射率の時間変化が示されている。
図８において、図６（ａ）に示した本実施形態の駆動方法による反射率の曲線には「表示駆動＋逆電位駆動」のラベルを付した。図６（ｂ）に示した従来の駆動方法の第１例による反射率の曲線には、「表示駆動＋保持」のラベルを付した。図６（ｃ）に示した従来の駆動方法の第２例による反射率の曲線には、「単パルス駆動」のラベルを付した。
【００７２】
図８に示すように、本実施形態の駆動方法（「表示駆動＋逆電位駆動」）では、従来の駆動方法と比較して反射率の変化速度（応答速度）が大きく（速く）なっており、また反射率の最大値（白表示）及び最小値（黒表示）も従来に比して優れている。したがって、本実施形態の駆動方法によれば、応答が高速であり、また高コントラストの表示を得ることができる。
【００７３】
このように本実施形態の駆動方法により応答性が改善されるのは、表示駆動ステップＳＴ１と逆電位駆動ステップＳＴ２とを交互に実行することで電気泳動粒子が攪拌され、異なる方向に移動する電気泳動粒子同士の移動が円滑になるためであると予想される。
また、本実施形態の駆動方法によりコントラストが向上するのは、画素４０を例えば白表示から黒表示に移行させる際に、表示面である共通電極３７側に引き寄せられた黒色粒子により白色粒子が閉じこめられる現象を防止できるためであると考えられる。つまり、黒色粒子が共通電極３７に引き寄せられ続けると、一旦黒色粒子に閉じこめられた白色粒子はもはや移動することはできなくなるが、本実施形態の駆動方法では、逆電位駆動ステップＳＴ２の期間に、黒色粒子が一時的に共通電極３７から離れる方向に移動しようとするため、黒色粒子間の隙間が大きくなり、閉じこめられていた白色粒子が脱離しやすくなるものと考えられる。
【００７４】
また、図６に示すように、本実施形態の駆動方法では、逆電位駆動ステップＳＴ２の期間が極めて短いことから、図６（ｂ）に示す従来の駆動方法の第１例と比較して、画像表示ステップＳ１０２にかかる時間を短縮することができ、消費電力の低減にも大きく寄与する。特に、電気泳動素子３２の応答性が低下するために駆動パルスを長くする必要がある低温環境において、応答性及び電力消費の改善に本発明は有効である。
【００７５】
さらに本実施形態では、図６（ａ）に示すように、画像表示ステップＳ１０２の最後に表示駆動ステップＳＴ１を実行している。これにより、図６（ｂ）に示す従来の駆動方法の第１例における期間Ｘ（表示に寄与しない期間）の分についても画像表示ステップを短くすることができ、さらなる電力消費の低減を図ることができる。
【００７６】
なお、本実施形態の駆動方法では、逆電位駆動ステップＳＴ２のタイミングでスパイク状の反射率の変化が観測されているが、その期間は１０ｍｓ〜２０ｍｓの極めて短い期間であるため、人間の目には表示色の変化やちらつきが視認されることはない。これに対して従来の駆動方法の第１例では、第２ステップＳＴ５２に対応する期間において反射率が若干逆戻りしており、またその期間も長いため、表示のちらつきがユーザーに視認されるおそれがある。
【００７７】
本実施形態において、表示駆動ステップＳＴ１及び逆電位駆動ステップＳＴ２の長さは、電気泳動素子３２の特性等に応じて適宜設定することができる。
例えば上記説明では、逆電位駆動ステップＳＴ２の期間が１０ｍｓ〜２０ｍｓであるとして説明したが、逆電位駆動ステップＳＴ２の期間は、反射率の変化によるちらつき等が視認されない範囲で長くすることができる。また、逆電位駆動ステップＳＴ２の期間を短くすることもできる。ただし、逆電位駆動ステップＳＴ２を短くしていくと、従来の駆動方法の第２例である単パルス駆動に近づき、コントラストが低下するおそれがある。
また、表示駆動ステップＳＴ１の期間は、長すぎると従来の駆動方法の第２例のようにコントラストが低下するおそれがあり、短すぎると応答性が低下するおそれがあるため、実測に基づいてこれらを両立できる期間に設定することが好ましい。
【００７８】
なお、上記実施形態では、表示部５に所定の画像を表示させる画像表示ステップＳ１０２において、表示駆動ステップＳＴ１と逆電位駆動ステップＳＴ２とを交互に実行する場合について説明したが、本発明に係る駆動方法は、表示部５の全体を所定の単一階調に移行させる画像消去ステップにも好適に用いることができる。
例えば、図６（ａ）に示した「白書き込み時」の駆動方法により、表示部５を全面白表示させることができる。また、「黒書き込み時」の駆動方法により表示部５を全面黒表示させることができる。
このように画像消去ステップに図６（ａ）に示した駆動方法を適用することで、表示部５の全面を白表示又は黒表示させるまでの時間を短縮することができるとともに、反射率の高い白表示、及び、反射率の低い黒表示を得ることができる。
【００７９】
［変形例］
上記実施形態では、画素毎にラッチ回路を備えたＳＲＡＭ方式の電気泳動表示装置を例示して説明したが、本発明に係る駆動方法は、他のアクティブマトリクス方式の電気泳動表示装置にも問題なく適用できる。
本変形例では、画素ごとに選択トランジスタとキャパシタを備えたＤＲＡＭ（Dynamic Random Access Memory）方式の電気泳動表示装置に本発明に係る駆動方法を適用した場合について説明する。
【００８０】
図９は、上記実施形態の変形例に係る電気泳動表示装置１００Ａを示す図である。
図９に示す電気泳動表示装置１００Ａは、画素４０がマトリクス状に配列された表示部５Ａを備えている、表示部５Ａには、縦横に延びる複数の走査線６６と、データ線６８とが形成されており、走査線６６とデータ線６８との交差部に対応して画素４０が形成されている。走査線６６は表示部５Ａの外側に延出された位置で走査線駆動回路６１に接続されている。データ線６８は表示部５Ａの外側に延出された位置でデータ線駆動回路６２に接続されている。
【００８１】
画素４０は、選択トランジスタ４１と、保持容量Ｃ１と、画素電極３５と、電気泳動素子３２と、共通電極３７とを有している。選択トランジスタ４１のゲートは走査線６６に接続され、ソースはデータ線６８に接続されている。ドレインは保持容量Ｃ１の一方の電極と画素電極３５とに接続されている。保持容量Ｃ１の他方の電極は、複数の画素４０に共通の配線である容量線Ｃに接続されている。
【００８２】
上記構成を備えた電気泳動表示装置１００Ａでは、走査線６６を介して入力される選択信号により選択トランジスタ４１がオン状態とされている期間に、データ線６８を介して供給される画像信号が保持容量Ｃ１及び画素電極３５に入力され、画素電極３５と共通電極３７との電位差に基づいて電気泳動素子３２が駆動される。選択トランジスタ４１がオフ状態に移行した後は、保持容量Ｃ１に蓄えられたエネルギーにより電気泳動素子３２が駆動される。
【００８３】
上記動作により画像表示が行われる電気泳動表示装置１００Ａでは、先の実施形態に記載のように、画素電極３５に対して複数の矩形パルスを連続して入力することはできない。
一方、電気泳動表示装置１００Ａでは、画素サイズの制限から保持容量Ｃ１を大きくすることができないため、１回の画像表示動作では表示部５Ａに所望の階調の画像を表示させることができず、同一の画像データを用いた画像表示動作を３０〜５０回程度繰り返すことで所望のコントラストの表示を得ている。
【００８４】
そこで、電気泳動表示装置１００Ａでは、図１０に示すように、複数フレームの画像書き込み動作により画像表示ステップＳ１０２を構成するとともに、各フレームに表示駆動ステップＳＴ１又は逆電位駆動ステップＳＴ２を割り当てる駆動方法を採用することができる。
図１０に示すタイミングチャートは、電気泳動表示装置１００Ａにおいて、図７（ａ）及び図７（ｂ）に示した黒背景に白抜きの時刻表示を行う場合のタイミングチャートである。電位Ｖcomは共通電極３７の電位、電位Ｖａは図７（ｂ）に示した画素４０Ａ（黒背景の画素）の画素電極３５の電位、電位Ｖｂは図７（ｂ）に示した画素４０Ｂ（白抜きの時刻表示の画素）の画素電極３５の電位である。
【００８５】
本実施形態に係る表示駆動ステップＳＴ１では、共通電極３７と画素４０Ａの画素電極３５とにハイレベル電位ＶＨが入力され、画素４０Ｂの画素電極３５にローレベル電位ＶＬが入力される。これにより、画素４０Ｂが白表示動作する一方、画素４０Ａの表示は変化しない。
一方、逆電位駆動ステップＳＴ２では、共通電極３７と画素４０Ａの画素電極３５とにローレベル電位ＶＬが入力され、画素４０Ｂの画素電極３５にハイレベル電位ＶＨが入力される。これにより、画素４０Ｂが黒表示動作する一方、画素４０Ａの表示は変化しない。
【００８６】
つまり、本変形例の駆動方法においても、表示駆動ステップＳＴ１と逆電位駆動ステップＳＴ２における各画素４０の動作は先の実施形態と同様である。その一方で、本変形例の場合、表示駆動ステップＳＴ１と逆電位駆動ステップＳＴ２の長さがいずれも１フレーム期間であるため、図１０に示すように、複数回（図示では４回）の表示駆動ステップＳＴ１を連続して実行した後、１回（又は複数回）の逆電位駆動ステップＳＴ２を実行することとしている。
これにより、本変形例に係る駆動方法によれば、先の実施形態と同様に、応答速度を高め、かつ高コントラストの表示を得ることができる。
【００８７】
なお、本変形例においても、表示駆動ステップＳＴ１を連続実行する期間の長さ、及び逆電位駆動ステップＳＴ２を連続実行する期間の長さは、電気泳動素子３２の特性等に応じて適宜に設定することができる。
また、上記した実施形態及び変形例に係る電気泳動表示装置の駆動方法は、以上に説明したアクティブマトリクス方式に限られず、セグメント方式の電気泳動表示装置にも適用することができるのはもちろんである。セグメント方式の場合には、画素電極（セグメント電極）に対して任意のタイミングで任意の電位を入力できるため、先の実施形態の駆動方法が適用可能である。
【００８８】
（電子機器）
次に、上記実施形態の電気泳動表示装置１００を、電子機器に適用した場合について説明する。
図１１は、腕時計１０００の正面図である。腕時計１０００は、時計ケース１００２と、時計ケース１００２に連結された一対のバンド１００３とを備えている。
時計ケース１００２の正面には、上記各実施形態の電気泳動表示装置１００からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００８９】
図１２は電子ペーパー１１００の構成を示す斜視図である。電子ペーパー１１００は、上記実施形態の電気泳動表示装置１００を表示領域１１０１に備えている。電子ペーパー１１００は可撓性を有し、従来の紙と同様の質感及び柔軟性を有する書き換え可能なシートからなる本体１１０２を備えて構成されている。
【００９０】
図１３は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００９１】
以上の腕時計１０００、電子ペーパー１１００、及び電子ノート１２００によれば、本発明に係る電気泳動表示装置１００が採用されているので、長期間にわたって表示品質を維持することができる信頼性に優れた表示部を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【００９２】
５，５Ａ  表示部、３２  電気泳動素子、３５  画素電極、３７  共通電極、４０，４０Ａ，４０Ｂ  画素、４１  選択トランジスタ、６１  走査線駆動回路、６２  データ線駆動回路、６３  コントローラー（制御部）、６４  共通電源変調回路、６６  走査線、６８  データ線、Ｃ  容量線、Ｃ１  保持容量，Ｄ１，Ｄ２  画像データ、１００，１００Ａ  電気泳動表示装置、ＳＴ１  表示駆動ステップ、ＳＴ２  逆電位駆動ステップ、Ｓ１０１  画像信号入力ステップ、Ｓ１０２  画像表示ステップ、Ｓ１０３  画像保持ステップ
【図１】
2011099898.tif 000003
【図２】
2011099898.tif 000004
【図３】
2011099898.tif 000005
【図４】
2011099898.tif 000006
【図５】
2011099898.tif 000007
【図６】
2011099898.tif 000008
【図７】
2011099898.tif 000009
【図８】
2011099898.tif 000010
【図９】
2011099898.tif 000011
【図１０】
2011099898.tif 000012
【図１１】
2011099898.tif 000013
【図１２】
2011099898.tif 000014
【図１３】
2011099898.tif 000015